(57)【要約】【課題】  発光演出具の制御のための新規な手段を提供し光演出の新たな効果を得ること。【解決手段】  発光演出具は、発光器と、発光制御回路と、絶対圧センサを備え、前記発光制御回路は、前記絶対圧センサが検出した環境圧力、外部から送信された制御信号に基づいて、前記発光器の発光の点滅、発光の強弱、発光色、及びそれらの時間的変化のパターンのうちのいずれか又はそれらの組み合わせを含む所定の複数の発光態様からその１つを選択し、該選択された発光態様に従って前記発光器を発光させる。また発光演出具と共にシステムを構成する外部制御装置は、無線送信手段を用いて、発光演出具の発光態様を直接的に制御するか、制御圧力指示信号を送信して各発光演出具が検出する環境圧力値と比較させ、新たな発光態様を選択させる。【選択図】  図１
2015037027.tif 000002
【特許請求の範囲】
【請求項１】
発光器と、発光制御回路と、絶対圧センサを備え、前記発光制御回路は、前記絶対圧センサが検出した環境圧力に基づいて、前記発光器の発光の点滅、発光の強弱、発光色、及びそれらの時間的変化のパターンのうちのいずれか又はそれらの組み合わせを含む所定の複数の発光態様からその１つを選択し、該選択された発光態様に従って前記発光器を発光させることを特徴とする発光演出具。
【請求項２】
前記発光演出具は、外部から送信される外部制御信号を受信する受信手段を更に備え、前記発光制御回路は、受信した前記外部制御信号に従って、前記環境圧力に基づいて選択された発光態様とは異なる他の発光態様の１つを選択し、該選択された他の発光態様に従って前記発光器を発光させる機能を有することを特徴とする請求項１に記載の発光演出具。
【請求項３】
外部制御装置は、事前に準備したプログラムを作動させること、又は前記外部制御装置の操作者がリアルタイムに操作すること、又は事前に準備した部分的プログラムを前記操作者が作動させること、のいずれかに基づいて前記外部制御信号を作成し、かつ前記発光演出具に送信することによって、請求項１又は２に記載の多数の発光演出具の発光態様を同時に制御するように機能することを特徴とする発光演出具の制御システム。
【請求項４】
前記外部制御装置は、前記外部制御信号の一部として、制御圧力指示信号を含ませることができ、個々の前記発光演出具は、自身の検出する環境圧力値と前記圧力指示信号によって指示された圧力値を比較し、該両圧力値の大小関係に応じて発光態様を変更する機能を有することを特徴とする請求項３に記載の発光演出具の制御システム。
【請求項５】
前記外部制御装置は、前記外部制御信号を前記発光演出具に対して、電波、音波、又は光波のいずれかを用いて送信する無線送信手段を有することを特徴とする請求項３又は４に記載の発光演出具の制御システム。
【発明の詳細な説明】
【技術分野】
【０００１】
本発明は、発光演出具およびその制御システムに関する。
【背景技術】
【０００２】
多数の観客を伴う広い会場で、音楽やパフォーマンスなどを演じるイベントが行われることがある。その際、イベントを盛り上げるため、個々の観客に（場合によっては演者にも）、電源電池や発光するライトを内蔵し、手持ちのできる発光器具である発光演出具を持たせ、これらを観客がうち振ったり、あるいは主催者側の合図に合わせてタイミングを揃えて発光させるような光の演出を行い、イベントを盛り上げることが行われる。
【先行技術文献】
【特許文献】
【０００３】
【特許文献１】特開２０００−２６０２１２号公報
【特許文献２】特許第３９１０５１３号公報
【０００４】
特許文献１に記載された技術は、多数の発光演出具にそれぞれ電波の受信装置を設け、一方では会場内又は周辺にアンテナ付き発信機を設け、この発信機から電波を発光演出具に向けて発信し、各発光演出具はその電波を受信して一斉に、演出者が意図した所定のプログラムに従って発光させるシステムであり、それに加えて、発信する電波の周波数を複数とし、各発光演出具も受信可能な電波の周波数を異ならせてあって、観客エリア別に異なる発光をさせることもできるシステムである。
【０００５】
特許文献２に記載された技術は、特許文献１に記載されたものと同様に発光演出具を無線で集中的に操作するシステムであるが、その際、発光制御信号の搬送波として赤外線を使用するための、信号の備えるべき具体的な条件に関するものである。
【発明の概要】
【発明が解決しようとする課題】
【０００６】
特許文献１における技術は、観客エリア別に異なる発光をさせるなどの工夫も含むが、まだ発光パターンは単調である。また観客エリアごとに発光を異ならせるためには、受信周波数など機能が異なる発光演出具を多数作っておいて、エリアごとにあらかじめ配布しておかねばならず、その後も観客が座席を移動すると発光態様が部分的に崩れて、光演出効果の統一性を害する。
【０００７】
特許文献２における技術は、発光制御信号の発信に赤外線の投・受光器を利用することに主眼があり、光演出効果を向上するための格別の工夫はない。
【０００８】
本発明は、発光演出具の制御のための新規な手法を提供し、光演出の新たな効果を得ることを目的とする。
【課題を解決するための手段】
【０００９】
本発明の発光演出具は下記（１）、（２）いずれかの特徴を有する。
【００１０】
（１）発光器と、発光制御回路と、絶対圧センサを備え、前記発光制御回路は、前記絶対圧センサが検出した環境圧力に基づいて、前記発光器の発光の点滅、発光の強弱、発光色、及びそれらの時間的変化のパターンのうちのいずれか又はそれらの組み合わせを含む所定の複数の発光態様からその１つを選択し、該選択された発光態様に従って前記発光器を発光させることを特徴とする。
【００１１】
このように構成することにより、発光演出具は、それが配置された高さ位置に応じた発光態様（たとえば消灯か、連続点灯か、点滅か、更には発光色や点滅周期の変化を含む）を選択する。それにより、観客席全体を見渡した場合、多数の発光演出具の発光が、高さ位置に応じて縞状に異なって見えるような演出が可能となる。
【００１２】
（２）前記発光演出具は、外部から送信される外部制御信号を受信する受信手段を更に備え、前記発光制御回路は、受信した前記外部制御信号に従って、前記環境圧力に基づいて選択された発光態様とは異なる他の発光態様の１つを選択し、該選択された他の発光態様に従って前記発光器を発光させる機能を有することを特徴とする。
【００１３】
このように構成することにより、発光演出具は、更に外部制御信号に従って、全数が一様に発光したり、あるいは自身の高さ位置も加味した態様で発光することができ、光演出効果を多様化して高めることができる。
【００１４】
本発明の発光演出具の制御システムは、更に下記（３）〜（５）のいずれかの特徴を有する。
【００１５】
（３）外部制御装置は、事前に準備したプログラムを作動させること、又は前記外部制御装置の操作者がリアルタイムに操作すること、又は事前に準備した部分的プログラムを前記操作者が作動させること、のいずれかによって前記外部制御信号を作成し、かつ前記発光演出具に送信することによって、多数の発光演出具の発光態様を同時に制御するように機能することを特徴とする。
【００１６】
このように構成することにより、発光演出具の発光態様を、外部から一斉に制御できるようになる。
【００１７】
（４）前記外部制御装置は、前記外部制御信号の一部として、制御圧力指示信号を含ませることができ、個々の前記発光演出具は、自身の検出する環境圧力値と前記圧力指示信号によって指示された圧力値を比較し、該両圧力値の大小関係に応じて発光態様を変更する機能を有することを特徴とする。
【００１８】
このように構成することにより、発光演出具の発光態様を変化させる高さ位置を外部からコントロールすることが可能となる。
【００１９】
（５）前記外部制御装置は、前記外部制御信号を前記発光演出具に対して、電波、音波、又は光波のいずれかを用いて送信する無線送信手段を有することを特徴とする。
【００２０】
このようにすることにより、適切な送信手段を選んで、発光演出具の制御システムを無線で構成し、観客への悪影響をなくすことができる。
【発明の効果】
【００２１】
本発明の発光演出具は、それ自身の高さ位置に応じて発光態様を変化させることができる。また本発明の発光演出具の制御システムは、発光態様の変化を多彩にし、光演出効果を向上させることができる。
【図面の簡単な説明】
【００２２】
【図１】本発明の実施例１の発光演出具の制御システムのブロック図であり、（ａ）は外部制御装置を示し、（ｂ）は発光演出具を示す。
【図２】本発明の実施例１の発光演出具の動作を説明するフローチャートである。
【発明を実施するための形態】
【００２３】
発光演出具と外部制御回路より成るシステムと、それによる発光演出具の動作、及び実施例の変形例について順次説明する。
【実施例１】
【００２４】
図１は実施例１の発光演出具の制御システムのブロック図で、（ａ）に示す外部制御装置１０と、（ｂ）に示す発光演出具２０より構成される。
【００２５】
外部制御装置１０は、発光演出を必要とするイベントなどが行われる会場や場所に固定的または半固定的に設置されるものである。主として主催者側（即ち演出者側）で操作されることを想定した装置で、発光演出具２０が行う発光の態様、即ち発光の有無や点滅、強度、色、それらの時間的変化のパターンのうちの少なくとも１つを主催者側が意図する所定のものとなるように制御するため、電波を搬送波とする外部送信信号を無線で発信する動作を行う。
【００２６】
操作装置１１は、操作者（演出者）が、自らのリアルタイムの操作によって、あるいは事前のプログラミングによって、あるいは事前に準備した部分的なプログラムをリアルタイムに選択し作動させることによって、外部制御信号を作成する装置で、そのために必要なスイッチ類やキーボードやパソコン等の機器を含む。その信号出力を受けた外部制御信号作成装置１２は、所定の信号を搬送波として作成した電波に乗せて、外部制御信号として出力する。
【００２７】
外部制御信号が重畳された電波信号は、送信アンテナ１３から発光演出具２０の集団に向けて発信される。搬送波として用いられる電波は、到達距離、指向性、受信の容易性、近隣機器への影響等を考慮してその周波数や強度が選ばれる。その周波数は例えば、３００ＭＨｚ帯、４００ＭＨｚ帯、９００ＭＨｚ帯、２．４ＧＨｚ帯、５ＧＨｚ帯のいずれかから選択される。
【００２８】
発光演出具２０は、個々の使用者（例えばイベントの観客や主催者の一部等の参加者）によって携帯されることを想定した、携帯可能な発光器具で、例えばほぼ棒状をなしてその一端から発光するペンライト型のものや、その発光部を例えば円盤型に広げて面発光（点発光の集合を含む）させるものや、例えばペンダントのような身につけるアクセサリーに組み込むこともできる。
【００２９】
その内部構成は、制御送信信号が含まれる電波を受信する受信アンテナ２１、受信信号を復調して制御出力信号を抽出する受信回路２２、その出力である発光制御信号によって発光体２４の発光態様を制御する発光制御回路２３、例えば単数又は複数のＬＥＤ又は任意の発光素子より成る発光体２４を含む。絶対圧センサ２５は発光演出具２０の一部に組み込まれた小型のセンサ及びそれにより絶対圧を検出するための付属回路（後述するホイートストンブリッジ回路等）を含む。２６は電源で例えば軽量の電池であり、必要な全ての回路および発光体に電力を供給する。
【００３０】
絶対圧センサ２５は、既に小型で低消費電力の半導体圧力センサが多く市販されている。従って特に図示はしないが、その一例について構造と作用の概要を述べておく。適度な厚さの例えば正方形のシリコン基板の中央部を、片側からのエッチングにより薄く加工し、厚い外壁の内側にダイヤフラムを形成する。
【００３１】
このシリコン基板を、ダイヤフラムの下の中空な凹部が真空に保たれるように他の基板に対して外壁で接着する。ダイヤフラム部の上面には拡散やイオン打ち込みでピエゾ抵抗効果を与えた４個のゲージ抵抗があってそれらはホイートストンブリッジを形成している。この構造体の周囲の環境圧力に比例してダイヤフラムが変形し、そのため各ゲージ抵抗の抵抗値が変化し、それはブリッジの電位差出力として表れ、絶対圧力値が検出される。なお、ダイヤフラムの変形を、容量変化として検出するタイプのセンサもある。
【００３２】
このような構成の絶対圧センサで一般の気圧計や高度計が形成される場合も多く、特に常温、常圧（本発明の目的では例えば１５〜３０°Ｃ、１０１３±３０ｈＰａの範囲内となるであろう）で使用するのに適している。感度も高く、温度や地表の気圧がイベント中ほぼ一様ならば、かなり狭い高度差（センサの高さ位置の差）、例えば３０ｃｍ、５０ｃｍ、１ｍ、３ｍ、５ｍ、８ｍ、１０ｍ、１５ｍ、２０ｍ（いずれも概略値の例示である）のような高さの差を気圧の差として十分シャープに検出することが可能である。また高い位置の観客席にある発光演出具を操作することができる。
【００３３】
発光制御回路２３は、発光演出具２０を携帯する者の操作による指示、あるいは受信回路２２が受信した外部制御信号による指示に基づいて、あらかじめ決められている複数種類の発光態様の一つによって発光体２４を発光させるための発光制御信号を作成する機能を有する。
【００３４】
複数種類の発光態様とは、発光体２４の消灯（不点灯）、複数の発光色からの選択、連続点燈、点滅発光（変化させると効果があると考えられる、例えば１秒以下、２秒程度、又はそれ以上の複数の点滅周期を準備する）、発光色の時間的変化など各種のパターンからなるものである。これらの発光パターンは、発光制御回路２３の内部メモリーに記憶されているとよい。あるいは、外部制御装置１０が作成し送信したものを、発光演出具２０がイベントの現場で一時的に取り込んで用いるようにしてもよい。また、発光態様は、その初期値などを人為的に選択することもできる。
【００３５】
また発光制御回路２３は、図示しないが、絶対圧設定装置と、それにより設定された圧力値を絶対圧センサ２５が検知した圧力値とを比較し、両者の大小関係に応じて異なる発光態様を選択する機能も有する。絶対圧設定装置は、操作を用意にするため発光演出具２０の表面かカバーの下などに配置したセレクト用のプッシュスイッチ群（メンブレンスイッチが適する）を用いるとよい。
【００３６】
例えば、会場の床上３ｍを境界高さとし、その上下で発光態様を異ならせようとするとき、まず床面に近い所定の高さの気圧を絶対圧センサ２５に読み取らせて発光制御回路に記憶させ、次いで標高３ｍとマークされたスイッチを押して高さ３ｍに相当する気圧差も記憶させる。このようにすれば２つの記憶値から境界高さである３ｍにおける絶対圧を発光制御回路２３がその内部で演算し、演算結果を用いて境界高さの上下で発光態様を変化させることが可能となる。
【００３７】
このように、実際の高度（イベント会場の床面からの高さ）による光演出の差を問題とするときは、気象上の低気圧や高気圧の臨時の補正が必要になろうが、その会場の範囲内では気象条件は同じであるし、同じ高さにおける気圧は一様と考えられるから、上記のように、その補正は容易である。（例えばイベント会場の１階入口の床からの高さ１ｍで、標高を０ｍにセットした〔このような操作を会場における初期化とみなすことができる〕発光演出具を観客に配布するなど。）
【００３８】
次に、本発明の実施例１の動作について説明する。図２は実施例１のある１個の発光演出具２０の動作（中でも主に発光制御回路２３の動作）に関するフローチャートである。
【００３９】
ステップ５１で、発光演出具２０の電源２６をＯＮすることによって動作が開始する。次にステップ５２で受信回路２２の出力に外部制御信号が含まれているかどうかが判定される。ＮＯであれば（即ち外部制御装置１０からの信号がないとき）、続くステップ５３において、その発光演出具２０の環境圧力値が、絶対圧センサ２５によって検知される。
【００４０】
次のステップ５４において、発光制御信号の選択（１）が行われる。即ち前のステップ５３で検出した圧力値と、発光制御回路２３が記憶保持している境界圧力値との大小が比較されて、前者＜後者である場合と、前者＞後者である場合とで異なる発光態様が選択される。両者が等しい場合はいずれかの態様に含める。その態様に従ってステップ５５にて発光体２４が発光する。
【００４１】
その結果として、記憶されている境界圧力値（全ての発光演出具２０において等しいものとする）が例えば５ｍであり、多数の観客席が５ｍの高さの上にも下にも設けてあるものとすると、５ｍ以上の高さ位置にある全ての発光演出具２０は例えば赤色に発光し、５ｍ未満の高さ位置にある全ての発光演出具２０は例えば青色に発光するといったように、観客席の高さに応じた２色の縞状に発光点群が見える状態が現出する。
【００４２】
ステップ５２に戻り、そこで外部制御信号の受信の検出がＹＥＳであったなら、その受信信号はステップ５８において、発光制御回路２３のメモリーに一時的に保持される。更に次のステップ５９で、外部制御信号が、制御圧力指示信号を含んでいるかどうかがチェックされる。その結果ＮＯであれば、ステップ６０で発光制御信号選択（２）が行われ、その結果に応じてステップ５５にて発光器２４の発光が行われる。
【００４３】
発光制御信号選択（２）では、発光演出具２０の絶対圧センサ２５の検出圧力の如何にかかわらず、外部制御信号が指示するとおりの発光態様を発光制御回路２３に強制的に適用して発光体２４を発光させる。その結果、全発光演出具２０が同じ色や同じ時間的パターンの点滅で一斉に発光が行われることになる。この発光態様も場合によってはもちろん迫力のある光演出となる。
【００４４】
ステップ５９に戻り、その判定がＹＥＳ、即ち外部制御信号が共通の制御圧力指示信号を含んでいる場合には、ステップ６１にてその発光演出具２０の環境圧力値が絶対圧センサ２５により検出される。その上でステップ６２では発光制御信号選択（３）の選択動作がなされる。
【００４５】
発光制御信号選択（３）では、外部制御信号に含まれた制御指示信号の指示する圧力値と、ステップ６１で検出された発光演出具の環境圧力値との大小関係が比較され、前者＜後者である場合と、前者＞後者である場合とで異なる発光態様が選択される。両者が等しい場合はいずれかの態様に含める。選択された態様に従ってステップ５５にて発光体２４が発光する。
【００４６】
ステップ５５で、所定時間発光が行われたのち、ステップ５６では発光演出具２０の電源がＯＦＦにされたか否かが判定される。ＹＥＳであれば、その発光演出具２０はステップ５７で動作終了となる。ＮＯであれば、状態はステップ５２の前に戻って動作は継続される。
【００４７】
その結果、発光制御信号選択（３）においては外部から得た制御圧力指示信号により指示された圧力値に相当する高さ（例えば床面より３ｍ）より高い位置にある発光演出具２０と低い位置にある発光演出具２０が異なる態様（例えば発光色黄色と消灯）で発光する。即ち発光態様を分ける境界高さ位置を、外部制御装置１０から自由に指定することができることになる。これが、発光演出具２０が記憶していた境界高さで発光態様が切り替わる発光制御選択（１）における動作との違いとなる。
【００４８】
従って、発光演出具２０が外部制御信号を受けていない場合（外部制御装置１０が信号を発信していない場合）、ステップ５４の発光制御選択（１）によって例えば既述のように高さ５ｍ以上では赤、５ｍ未満では青の発光が行われていても、ある時点から外部制御装置１０が制御圧力指示信号を受取ると、ステップ６２の発光制御信号選択（３）によって、次の瞬間から高さ３ｍ以上の席にある発光演出具２０は黄色発光、その下の席のものは消灯に変化する。
【００４９】
いずれの高さ（圧力値）で如何なる発光態様を選択するかは、発光演出具２０の内部に、圧力値の関数としてあらかじめ記憶させておいてもよいし、外部制御装置１０が送信する外部制御信号の一部に含めて強制的に選択させてもよいことはもちろんである。
【００５０】
また制御圧力指示信号が指示する圧力値は、例えば絶対圧力値であってもよいし、またその会場の床面からの圧力差を高さに換算した値でもよい。これら又はその他の如何なる値を採用するかは、演出者の使い勝手を考慮して決める。
【００５１】
＜実施例１の変形例１＞
発光演出具２０の発光態様を変化させる高さ位置を複数化することもできる。即ち外部制御装置１０が送信する外部制御信号に、圧力値の異なる複数種類の制御圧力指示信号を含ませる（必要に応じて、高さと発光態様の対応を指示する信号も含ませる）ようにすればよい。その結果、高低差のある観客席上に複数の縞状をなす発光態様の変化が見られることになる。
【００５２】
＜実施例１の変形例２＞
発光演出具２０を携帯する観客が、自身の座席の高さ位置の差のみによって受動的に発光態様を規定され、そのような発光演出具２０を単に打ち振るだけでは、ある種の不満を持つことも考えられる。
【００５３】
各観客が自席に着いた状態で、それぞれの発光演出具２０を既述のように「初期化」する。即ち、全ての発光演出具２０は、それを所持する観客の自席の高さが標高０ｍであると認識し記憶する。一方、外部制御装置１０は、制御圧力指示信号を、指示する圧力値を例えば数１０ｃｍ（≦１ｍ〜１．５ｍ）のような比較的低い高さ位置に相当する圧力値に設定して送信する。そしてその状態で全部の発光演出具２０は消灯状態であるとする。
【００５４】
そこで任意の観客が、発光演出具２０を手で持ち上げたり、自分自身も立ち上がったりすると、それまで消灯していたどの発光演出具も、図２のステップ６２、発光制御信号選択（３）の結果として発光を始める。これは、例えば多数の観客がイベントに感動してスタンディングオペレーションのような動作を行うと、今まで暗かった観客席が、急に光点で満たされる光演出効果が得られる。
【００５５】
またこのような観客の運動が、例えば低い席から始まって高い席に向かって僅かな時間遅れを伴って持続する場合、これは光点群が下から上へウェーヴ的に観客席を移動する現象として見られるであろう。即ち、これらのようにして、観客の意思を光で表明することができる。
【００５６】
同じ効果は、外部制御装置１０が送信する制御圧力指示信号のやや異なる与え方によっても得られる。即ち、制御圧力指示信号は、既述のような絶対圧力値や観客席の高さ位置を指示するかわりに、受信する発光演出具２０の絶対圧センサ２５が現在検知している圧力値よりも例えば５０ｃｍ高い高さに相当する圧力値を検出したら発光態様を変えよという指示命令にすればよい。こうすれば、発光演出具２０の初期化の仕方を変える必要がなくなる利点がある。
【００５７】
＜実施例１の変形例３＞
なお、実施例１の変形例においては、外部制御信号を送信する媒体として、電波に替わり、光（例えば赤外線）や音波（超音波又は可聴周波数帯の音波）を用いてもよい。いずれの媒体を選択するかは、送信や受信の容易性（コストを含む）、他の物体による信号の遮蔽のされ易さ、周囲の機器への影響、人体への無害性、指向性、イベント自体への影響の程度等を考慮して決める。図１における送信アンテナ１３や受信アンテナ２１は、信号の媒体が例えば赤外線であれば、それぞれ赤外線の投・受光器に、音波であれば音響トランスデユーサの送・受信器に置換される。
【００５８】
＜実施例１の変形例４＞
本発明の発光演出具２０、又は外部制御装置１０は、少なくともその一部を水中において使用することができる。この場合は観客よりもむしろシンクロナイズドスイミング等の演者に発光演出具を持たせ、演ずる水深に応じて発光態様を変化させる使い方となる。また水中での電波の使用は適さない。
【００５９】
以上、本発明の実施例およびその変形例について述べたが、本発明の実施の形態は、もとよりこれら既述の例示のみに限定されるものではない。例えば、実施例と実質的に等価な結果を得ることができる外部制御信号の与え方や、発光演出具における初期化の方法などにおいては種々考慮の余地があり得る。
【符号の説明】
【００６０】
１０  外部制御装置
１１  操作装置
１２  外部制御信号作成装置
１３  送信アンテナ
２０  発光演出具
２１  受信アンテナ
２２  受信回路
２３  発光制御回路
２４  発光体
２５  絶対圧センサ
２０  電源
５１〜６２  フローチャートにおける動作の各ステップ
【図１】
2015037027.tif 000003
【図２】
2015037027.tif 000004